【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
主遊技を実行する主遊技部と、
主遊技をサポートする補助遊技部と、
遊技球が入球可能な主遊技用始動口と、
遊技球が入球可能な補助遊技用始動口と、
閉状態と開状態とを採り得る可変入球口と、
主遊技用始動口に取り付けられた、開放状態と閉鎖状態を採り得る部材であって、開放状態の際は主遊技用始動口に遊技球が入球可能又は閉鎖状態と比較して入球容易であり、閉鎖状態の際は主遊技用始動口に遊技球が入球不能又は開放状態と比較して入球困難に構成されている可変部材と、
主遊技用識別情報を表示可能な主遊技用識別情報表示部と、
補助遊技用識別情報を表示可能な補助遊技用識別情報表示部と
を備え、
主遊技部は、
主遊技用始動口への遊技球の入球に基づき、主遊技用乱数を取得する主遊技用乱数取得手段と、
主遊技用乱数に基づき当否判定を実行する主遊技用当否抽選実行手段と、
主遊技用当否抽選実行手段による当否判定結果に基づき、主遊技用識別情報の停止識別情報を決定する主遊技用識別情報表示内容決定手段と、
主遊技用識別情報表示内容決定手段による決定に基づき、主遊技用識別情報表示部にて主遊技用識別情報を変動表示した後、主遊技用識別情報の停止識別情報を停止表示するよう制御する主遊技用識別情報表示制御手段と、
主遊技用当否抽選実行手段による当否判定結果が当選である場合、主遊技用識別情報の停止識別情報が停止表示された後に、可変入球口を遊技者にとって有利な状態とし得る特別遊技状態への移行権利を付与する特別遊技状態移行権利付与手段と
を備え、
補助遊技部は、
補助遊技用始動口への遊技球の入球に基づき、可変部材の開放状態駆動に係る補助遊技用乱数を取得する補助遊技用乱数取得手段と、
補助遊技用乱数に基づき補助遊技用識別情報の停止識別情報を決定する補助遊技用識別情報表示内容決定手段と、
補助遊技用識別情報表示内容決定手段による決定に基づき、補助遊技用識別情報表示部にて補助遊技用識別情報を変動表示した後、補助遊技用識別情報の停止識別情報を停止表示するよう制御する補助遊技用識別情報表示制御手段と、
補助遊技用識別情報の停止識別情報が特定態様にて停止表示された後、可変部材を開放状態に駆動制御し得る可変部材開放制御手段と
を備え、
特別遊技状態への移行権利が未行使である場合、遊技球が補助遊技用始動口に入球するまでは当該未行使である特別遊技状態への移行権利を保持し、遊技球が補助遊技用始動口に入球した際には、当該未行使である特別遊技状態への移行権利を行使して特別遊技状態に移行させるよう構成されており、
遊技球が流下する遊技領域上における遊技球の流下流路として、第一流下流路と第二流下流路とが少なくとも形成されており、第一の発射強度にて発射された遊技球は、第一流下流路へと流入容易となると共に第二流下流路へと流入困難となる一方、第一の発射強度よりも大きい第二の発射強度にて発射された遊技球は、第二流下流路へと流入容易となると共に第一流下流路へと流入困難となるよう構成されており、補助遊技用始動口は第二流下流路上に配置され、且つ、補助遊技用始動口を通過した遊技球であって特別遊技状態への移行権利を行使する契機となった遊技球が可変入球口へ入球し得るよう構成されている
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
主遊技を実行する主遊技部と、
主遊技をサポートする補助遊技部と、
遊技球が入球可能な主遊技用始動口と、
遊技球が入球可能な補助遊技用始動口と、
閉状態と開状態とを採り得る可変入球口と、
主遊技用始動口に取り付けられた、開放状態と閉鎖状態を採り得る部材であって、開放状態の際は主遊技用始動口に遊技球が入球可能又は閉鎖状態と比較して入球容易であり、閉鎖状態の際は主遊技用始動口に遊技球が入球不能又は開放状態と比較して入球困難に構成されている可変部材と、
主遊技用識別情報を表示可能な主遊技用識別情報表示部と、
補助遊技用識別情報を表示可能な補助遊技用識別情報表示部と
を備え、
主遊技部は、
主遊技用始動口への遊技球の入球に基づき、主遊技用乱数を取得する主遊技用乱数取得手段と、
主遊技用乱数に基づき当否判定を実行する主遊技用当否抽選実行手段と、
主遊技用当否抽選実行手段による当否判定結果に基づき、主遊技用識別情報の停止識別情報を決定する主遊技用識別情報表示内容決定手段と、
主遊技用識別情報表示内容決定手段による決定に基づき、主遊技用識別情報表示部にて主遊技用識別情報を変動表示した後、主遊技用識別情報の停止識別情報を停止表示するよう制御する主遊技用識別情報表示制御手段と、
主遊技用当否抽選実行手段による当否判定結果が当選である場合、主遊技用識別情報の停止識別情報が停止表示された後に、可変入球口を遊技者にとって有利な状態とし得る特別遊技状態への移行権利を付与する特別遊技状態移行権利付与手段と
を備え、
補助遊技部は、
補助遊技用始動口への遊技球の入球に基づき、可変部材の開放状態駆動に係る補助遊技用乱数を取得する補助遊技用乱数取得手段と、
補助遊技用乱数に基づき補助遊技用識別情報の停止識別情報を決定する補助遊技用識別情報表示内容決定手段と、
補助遊技用識別情報表示内容決定手段による決定に基づき、補助遊技用識別情報表示部にて補助遊技用識別情報を変動表示した後、補助遊技用識別情報の停止識別情報を停止表示するよう制御する補助遊技用識別情報表示制御手段と、
補助遊技用識別情報の停止識別情報が特定態様にて停止表示された後、可変部材を開放状態に駆動制御し得る可変部材開放制御手段と
を備え、
特別遊技状態への移行権利が未行使である場合、遊技球が補助遊技用始動口に入球するまでは当該未行使である特別遊技状態への移行権利を保持し、遊技球が補助遊技用始動口に入球した際には、当該未行使である特別遊技状態への移行権利を行使して特別遊技状態に移行させるよう構成されており、
遊技球が流下する遊技領域上における遊技球の流下流路として、第一流下流路と第二流下流路とが少なくとも形成されており、第一の発射強度にて発射された遊技球は、第一流下流路へと流入容易となると共に第二流下流路へと流入困難となる一方、第一の発射強度よりも大きい第二の発射強度にて発射された遊技球は、第二流下流路へと流入容易となると共に第一流下流路へと流入困難となるよう構成されており、補助遊技用始動口は第二流下流路上に配置され、且つ、補助遊技用始動口を通過した遊技球であって特別遊技状態への移行権利を行使する契機となった遊技球が可変入球口へ入球し得るよう構成されている
ことを特徴とするぱちんこ遊技機である。
＜付記＞
尚、本態様とは異なる別態様について以下に列記しておくが、これらには何ら限定されることなく実施することが可能である。
本別態様に係るぱちんこ遊技機は、
遊技球が入球可能な複数の入球口の内の一の入球口である特定入球口と、
主遊技用識別情報を変動表示及び停止表示可能な主遊技用識別情報表示部（例えば、第１主遊技図柄表示部２１３１、第２主遊技図柄表示部２２３１）と
を備え、
前記複数の入球口の内、予め定められた入球口への遊技球の入球に基づき、主遊技用乱数を取得する主遊技用乱数取得手段（例えば、第１主遊技乱数取得判定実行手段１１２１、第２主遊技乱数取得判定実行手段１１２２）と、
主遊技用乱数に基づき当否抽選を実行する主遊技用当否抽選実行手段（例えば、当否抽選手段１１３５）と、
主遊技用当否抽選実行手段（例えば、当否抽選手段１１３５）による当否抽選結果に基づき、主遊技用識別情報の停止識別情報を決定する手段であって、当否抽選結果が当選である場合には所定態様を停止識別情報として決定する主遊技用識別情報表示内容決定手段（例えば、第１主遊技内容決定手段１１４１、第２主遊技内容決定手段１１４２）と、
主遊技用識別情報の変動開始条件を充足している場合、主遊技用識別情報表示内容決定手段（例えば、第１主遊技内容決定手段１１４１、第２主遊技内容決定手段１１４２）による決定に基づき、主遊技用識別情報表示部（例えば、第１主遊技図柄表示部２１３１、第２主遊技図柄表示部２２３１）にて主遊技用識別情報を変動表示した後、停止識別情報を表示するよう制御する主遊技用識別情報表示制御手段（例えば、第１主遊技図柄制御手段１１５１、第２主遊技図柄制御手段１１５２）と、
主遊技用識別情報の停止識別情報が所定態様にて表示されたことを契機として、遊技者にとって有利となる特別遊技状態への移行権利を付与する特別遊技状態移行権利付与手段（例えば、遊技制御手段１１００）と、
特別遊技状態への移行権利が未行使状態である状況下、遊技球が特定入球口（例えば、特定領域２３３１）に入球した場合には特別遊技状態に移行させる特別遊技状態移行権利行使制御手段（例えば、条件判定手段１１７１）と、
特別遊技状態への移行権利が未行使状態である状況下、所定条件を充足した場合には当該特別遊技状態への移行権利を失効させる特別遊技状態移行権利失効制御手段（例えば、条件判定手段１１７１）と
を備える
ことを特徴とするぱちんこ遊技機である。